【手続補正書】
【提出日】平成27年7月15日(2015.7.15)
【手続補正１】
【補正対象書類名】明細書
【補正対象項目名】０００３
【補正方法】変更
【補正の内容】
【０００３】
しかしながら、表示させる情報の種類が増えるのに従い、文字板を用いて表示させなければならない目盛の数も増加し、デザイン上の制約が増えたり、更には、どの目盛が用いられているのかユーザが判別し難くなったりするという問題が生じている。そこで、従来、文字板の下に回転可能な情報表示板（回転板）を備え、この回転板上の標識を文字板に設けられた開口部から選択的に露出させることで、不要な情報を露出させない技術が用いられている（特許文献１）。
【手続補正２】
【補正対象書類名】明細書
【補正対象項目名】００２２
【補正方法】変更
【補正の内容】
【００２２】
輪列機構２０、２１は、それぞれ複数の歯車列により構成される。輪列機構２０は、ステップモータ２２の回転角度を歯車比で調整して、ステップモータ２２の１ステップ動作当たり所定角度（ここでは、１度）の回転を分針１７に与える。時針１６は、分針１７に連動して回転する。また、輪列機構２１は、ステップモータ２３の回転角度を歯車比で調整して所定角度の回転を情報表示板１９に与える。また、輪列機構２１は、情報表示板１９が回転する際、その一部の角度範囲（第２情報表示板の回転のうち所定の一部分）において、日車１８を連動して回転させる。この輪列機構２１の構造については、後に詳述する。
【手続補正３】
【補正対象書類名】明細書
【補正対象項目名】００２４
【補正方法】変更
【補正の内容】
【００２４】
振動モータ２７、ＬＥＤ（発光ダイオード）２９、及び、ピエゾ素子（例えばＰＺＴ）３１は、それぞれ振動、光、及び、ブザー音を発することでユーザに通知を行うためのものである。ＣＰＵ１１からドライバ２８、３０、３２にそれぞれ制御信号が送られると、ドライバ２８、３０、３２は、それぞれ、振動モータ２７、ＬＥＤ２９、ピエゾ素子３１を動作させるのに必要な電圧信号に変換して出力する。これらの動作は、アナログ電子時計１０におけるアラーム時刻報知動作に用いられる他、上記着信信号の受信報知の際に併せて行われる設定とすることができる。
【手続補正４】
【補正対象書類名】明細書
【補正対象項目名】００２７
【補正方法】変更
【補正の内容】
【００２７】
日車１８は、円環状の回転板であり、時針１６及び分針１７と同一の回転軸に対して回転可能となっている。日車１８の上面には、同一円周上に１〜３１日の各日付（第１の情報）を表す日付標識が１１．２５度間隔で設けられている。また、この日車１８の上部には、日車１８より半径の小さい円板状の情報表示板１９が日車１８に略平行に設けられている。この情報表示板１９は、その外周が３時方向で日車１８の外周と位置が重なるように配置されている。情報表示板１９の上面には、９０度間隔で３個の標識「ＴＥＬ」、「ＭＡＩＬ」、「ＬＩＮＫ」（情報表示部、第２情報表示部）が設けられ、また、標識「ＭＡＩＬ」と１８０度反対側（第２情報表示板のうち所定の一部分）には、下部の日車１８の表示を透過露出させる透過小窓１９１が設けられている。なお、情報表示板１９は、透過小窓１９１を設ける代わりにこの角度方向に切欠部を設け、下部の日車１８の表示を直接表出可能としても良い。或いは、情報表示板１９に透明部材を用い、標識「ＴＥＬ」、「ＭＡＩＬ」、「ＬＩＮＫ」が設けられた部分を除く他の角度範囲では、下部の日車１８の日付標識を透明部材越しに上方から視認可能な構成とすることができる。
【手続補正５】
【補正対象書類名】明細書
【補正対象項目名】００３８
【補正方法】変更
【補正の内容】
【００３８】
受信処理が呼び出されると、ＣＰＵ１１は、データが受信されたか否かを判別する（ステップＳ２０１）。データが受信されていないと判別された場合には、ＣＰＵ１１はそのまま受信処理を終了して処理を表示処理に戻る。
データが受信されたと判別された場合には、次に、ＣＰＵ１１は、受信データがスマートフォン４０への着信信号であるか否かを判別する（ステップＳ２０２）。着信信号であると判別された場合には、ＣＰＵ１１は、更に、この着信信号が電話着信信号であるか否かを判別する（ステップＳ２１１）。電話着信信号であると判別された場合には、ＣＰＵ１１は、フラグＦＴを「１」に設定し（ステップＳ２１２）、また、ステップモータ駆動回路２４に制御信号を出力して、情報表示板１９の標識「ＴＥＬ」が開口部８から表出されるように情報表示板１９を回転移動させる（ステップＳ２１３）。そして、ＣＰＵ１１は、受信処理を終了して、ＣＰＵ１１の処理は、表示処理に戻る。
【手続補正６】
【補正対象書類名】明細書
【補正対象項目名】００４５
【補正方法】変更
【補正の内容】
【００４５】
この通信接続処理は、上記表示処理において毎秒受信処理を行うための通信リンクをアナログ電子時計１０とスマートフォン４０との間で確立するための処理である。この通信接続処理は、例えば、スマートフォン４０への操作入力に基づいてスマートフォン４０から送信された通信接続要求の受信や、予め設定されたこの処理の起動時刻の検出により起動される。或いは、ユーザによるリューズＣへの所定の操作により起動されることとしても良い。
【手続補正７】
【補正対象書類名】明細書
【補正対象項目名】００５７
【補正方法】変更
【補正の内容】
【００５７】
また、日車１８と連動して回転しない角度範囲で情報表示板１９を回転させることで、情報表示を行う際に、日車１８の回転に必要な大きさのトルクがかかる回転動作を避けることが出来、ステップモータ駆動回路２４から出力するパルス幅を広げたりパルス電圧を大きくしたりせずに容易に表示される情報を切り替えることができる。
【手続補正８】
【補正対象書類名】明細書
【補正対象項目名】００５９
【補正方法】変更
【補正の内容】
【００５９】
また、アナログ電子時計、特に、腕時計のような、ユーザが身につけるものにこのような機能を搭載することで、時計としての機能を損なわずに他の情報をより速やか且つ確実に取得することができる。
【手続補正９】
【補正対象書類名】明細書
【補正対象項目名】００７１
【補正方法】変更
【補正の内容】
【００７１】
以上のように、本実施形態のアナログ電子時計１０の変形例２によれば、情報表示板１９に光導板を用い、これらの情報が取得されたことを報知する際に、情報表示板１９を光らせることができるので、ユーザは、更に確実に情報の出力を知得することができる。
【手続補正１０】
【補正対象書類名】明細書
【補正対象項目名】００７４
【補正方法】変更
【補正の内容】
【００７４】
また、上記実施の形態では、アナログ電子時計において日付表示に外部機器への着信情報を重ねて表示させる場合を例に挙げて説明したが、表示情報はこれらに限られない。例えば、日付情報の代わりに曜日情報が表示されるアナログ電子時計であっても良いし、また、電話や電子メールの着信情報を表示する代わりにスマートフォン４０で管理されているスケジュールに基づく報知情報を表示しても良い。また、このような構成を備える情報表示装置は、時計に限られず、指針による表示機能を別途備えている必要もない。従って、この情報表示装置では、容易に様々なデザインを採用することができる。
【手続補正１１】
【補正対象書類名】明細書
【補正対象項目名】００７６
【補正方法】変更
【補正の内容】
【００７６】
また、上記変形例２では、光導板を用いてＬＥＤ２９ｂの出射光により情報表示板１９ｂ自体を光らせる構成としたが、単純に上部から情報表示板１９ｂをＬＥＤ２９ｂにより光を照射させることとしても良い。
【手続補正１２】
【補正対象書類名】明細書
【補正対象項目名】００７８
【補正方法】変更
【補正の内容】
【００７８】
また、上記実施の形態では、情報表示板１９を透過小窓１９１が開口部８にある位置から標識「ＴＥＬ」又は「ＬＩＮＫ」が開口部８にある位置へ回転させる際に日車１８が連動して回転する構成としたが、これに限られない。例えば、標識「ＴＥＬ」または「ＬＩＮＫ」が開口部８にある位置から透過小窓１９１が開口部８にある位置に回転する際に日車１８が連動して回転する構成であっても良い。
その他、上記実施の形態で示した具体的な構成、配置、数値、及び、動作の順番などは、本発明の趣旨を逸脱しない範囲において適宜変更可能である。
【手続補正１３】
【補正対象書類名】特許請求の範囲
【補正対象項目名】全文
【補正方法】変更
【補正の内容】
【特許請求の範囲】
【請求項１】
表示窓部を有する文字板と、
この文字板の下側に回転可能に設けられ、前記表示窓部から選択的に表出される複数の日付が配設された日付表示板と、
前記文字板と前記日付表示板との間に設けられ、上面に前記日付とは異なる情報が配設された情報表示部を有する情報表示板と、
この情報表示板を、前記情報表示部が前記表示窓部と重ならず、且つ、前記表示窓部に対応する位置にある前記日付が前記表示窓部から表出される所定の位置、及び、前記情報表示部が前記表示窓部に対応する位置の何れにも移動可能な情報表示板駆動手段と
を備えることを特徴とする情報表示装置。
【請求項２】
表示窓部を有する文字板と、
この文字板の下側に回転可能に設けられ、前記表示窓部から選択的に表出される複数の第１の情報が配設された第１情報表示板と、
この第１情報表示板を間欠的に回転させるモータと、
前記文字板と前記第１情報表示板との間に回転可能に設けられ、上面に第２の情報が配設された第２情報表示部を有する第２情報表示板と、
前記モータにより、前記第１情報表示板を静止させたままで、前記第１情報表示板の上側で前記第２情報表示板を回転させて、前記第２情報表示部を前記表示窓部に対応した位置に移動させる情報表示板駆動手段と
を備えることを特徴とする情報表示装置。
【請求項３】
表示窓部を有する文字板と、
この文字板の下側に回転可能に設けられ、前記表示窓部から選択的に表出される複数の第１の情報が配設された第１情報表示板と、
前記文字板と前記第１情報表示板との間に設けられ、上面に第２の情報が配設された第２情報表示部を有する第２情報表示板と、
前記第２情報表示板を、前記第２情報表示部が前記表示窓部と重ならず、且つ、前記表示窓部に対応する位置にある前記第１の情報が前記表示窓部から表出される所定の位置、及び、前記第２情報表示部が前記表示窓部に対応する位置の何れにも移動可能な情報表示板駆動手段と
を備えることを特徴とする情報表示装置。
【請求項４】
前記第２情報表示板は、回転可能に設けられており、この第２情報表示板のうち、所定の一部分において、前記表示窓部から前記第１の情報を表出可能な構成である
ことを特徴とする請求項３記載の情報表示装置。
【請求項５】
出力する情報に応じて前記情報表示板駆動手段を動作させる情報表示板駆動制御手段を備え、
前記第１情報表示板の回転移動は、前記第２情報表示板の回転に連動して行われる構成であり、
前記情報表示板駆動制御手段は、
表示させる前記第１の情報を変更する際、前記第２情報表示板と共に前記第１情報表示板を回転移動させ、
表示させる情報を切り替える場合には、前記第１情報表示板を静止させたままで前記第２情報表示板を回転移動させて、出力する情報に応じた前記第１の情報又は前記第２の情報を前記表示窓部から表出させる
ことを特徴とする請求項４記載の情報表示装置。
【請求項６】
前記第１情報表示板は、前記第２情報表示板の回転のうち所定の一部分でこの第２情報表示板と連動して回転され、
前記情報表示板駆動制御手段は、前記表示窓部から表出させる情報を切り替える場合には、この回転のうち所定の一部分以外の角度範囲で前記第２情報表示板のみを回転させる
ことを特徴とする請求項５記載の情報表示装置。
【請求項７】
外部機器と無線通信を行う無線通信手段を備え、
前記第２の情報は、この無線通信手段により前記外部機器から取得された情報である
ことを特徴とする請求項２〜６の何れか一項に記載の情報表示装置。
【請求項８】
前記第２情報表示板を照明する照明手段と、
前記第２情報表示部を前記表示窓部に対応する位置に移動させた状態で前記第２情報表示板を前記照明手段に照明させる照明制御手段と
を備えることを特徴とする請求項２〜７の何れか一項に記載の情報表示装置。
【請求項９】
前記第１の情報は、日付情報であることを特徴とする請求項２〜８の何れか一項に記載の情報表示装置。
【請求項１０】
前記１〜９の何れか一項に記載の情報表示装置と、
時刻を計数する計時手段と、
前記文字板上で回動可能に設けられ、前記計時手段により計数された時刻を指し示す複数の指針と
を備えることを特徴とするアナログ電子時計。